(57)【要約】【課題】フィルムロールを縦に立てて収容するための梱包体であって、保管や運搬時等におけるフィルムロールの傷やシワの発生を防止することができるフィルムロール用の梱包体を提供すること。【解決手段】巻芯１８ａにフィルム１８ｂが巻回されたフィルムロール１８を梱包するための梱包体１０であって、圧縮可能な弾性材から構成された緩衝部材２０を有し、前記フィルムロール１８はその軸方向が鉛直方向となるように立てて載置され、前記フィルムロール１８の載置状態では、前記巻芯１８ａの面圧Ｐｃ、前記巻回されたフィルム１８ｂの面圧Ｐｒ及び前記緩衝部材２０の２５％圧縮応力Ｐｋが以下の式（Ｉ）：  Ｐｃ＞Ｐｋ≧Ｐｒ      （Ｉ）の関係を満たすことを特徴とするフィルムロール用梱包体１０。【選択図】図２
2017001714.tif 000002
【特許請求の範囲】
【請求項１】
巻芯にフィルムが巻回され、該巻回されたフィルムの少なくとも一方の巻回端面から前記巻芯が突出したフィルムロールを梱包するための梱包体であって、
圧縮可能な弾性材から構成された緩衝部材を有し、
前記フィルムロールは、前記巻芯が突出した端面側から前記緩衝部材上に前記フィルムロールの軸方向が鉛直方向となるように立てて載置され、
前記フィルムロールの載置状態では、前記緩衝部材のうち、前記巻芯の載置部分及び前記巻回されたフィルムの載置部分の双方が圧縮状態にあり、且つ、前記巻芯の面圧Ｐｃ、前記巻回されたフィルムの面圧Ｐｒ及び前記緩衝部材の２５％圧縮応力Ｐｋが以下の式（Ｉ）：
Ｐｃ＞Ｐｋ≧Ｐｒ      （Ｉ）
（但し、Ｐｃはフィルムロール全体の重量（Ｎ）／巻芯の端面の面積（ｍ２）から求められ、Ｐｒはフィルムロール全体の重量（Ｎ）／巻回されたフィルムの巻回端面の面積（ｍ２）から求められる。）
の関係を満たすことを特徴とするフィルムロール用梱包体。
【請求項２】
前記緩衝部材の前記巻芯が載置される部分に、切れ込みが形成されたことを特徴とする請求項１に記載のフィルムロール用梱包体。
【請求項３】
前記緩衝部材の前記巻芯が載置される部分が、その周りの部分よりも柔らかく圧縮し易い弾性材で形成されたことを特徴とする請求項１又は２に記載のフィルムロール用梱包体。
【請求項４】
上記式（Ｉ）において、Ｐｒ＜Ｐｋ≦１０×Ｐｒの関係を更に満たすことを特徴とする請求項１〜３の何れか１項に記載のフィルムロール用梱包体。
【請求項５】
前記緩衝部材は、発泡体から構成されたことを特徴とする請求項１〜４の何れか１項に記載のフィルムロール用梱包体。
【請求項６】
前記緩衝部材上に、前記フィルムロールの巻回端面を覆うことが可能なキャップが配置され、
前記フィルムロールが載置された状態で、前記フィルムロールと前記緩衝部材との間に前記キャップが介在することを特徴とする請求項１〜５の何れか１項に記載のフィルムロール用梱包体。
【請求項７】
前記巻回されたフィルムの両側の巻回端面から前記巻芯がそれぞれ突出し、
前記緩衝部材に対向する側の前記巻芯の突出長さが、反対側の突出長さよりも短いことを特徴とする請求項１〜６の何れか１項に記載のフィルムロール用梱包体。
【請求項８】
前記フィルムロールの上部に更なる緩衝部材が配置されたことを特徴とする請求項１〜７の何れか１項に記載のフィルムロール用梱包体。
【発明の詳細な説明】
【技術分野】
【０００１】
本発明は、フィルムロールの保管や運搬に使用する梱包体に関する。
【背景技術】
【０００２】
包装用途や接着用途等多くの分野で使用される樹脂製のフィルムは、製造された後ロール状に巻回して保管及び運搬するのが一般的である。保管時や運搬時にはフィルムに損傷を与えないような対策が施された梱包体が使用される。
【０００３】
フィルムロールの梱包体としては、フィルムロールを横置きにするタイプと縦置きにするタイプが従来から知られている。縦置きにするタイプとしては、特許文献１に記載の梱包体が知られている。この梱包体では、凹部又は貫通孔を有する支持部材に巻芯を有するロール体を嵌め込むことによりロール体が梱包される。
【先行技術文献】
【特許文献】
【０００４】
【特許文献１】特開２０１１−２３０８０８号公報
【発明の概要】
【発明が解決しようとする課題】
【０００５】
しかしながら、特許文献１の梱包体においては、貫通孔の深さとロール体の巻芯の突出量を合わせることが現実的に困難であるため、ロール体のフィルムの部分のみで重量を受けることになり、衝撃が加わった場合にはフィルムの端部にシワや傷が生じやすいという問題があった。また巻芯の径と貫通孔の径を適切に設定しないと巻芯が入らない、又はロールの安定性が良くないという問題もあった。
【０００６】
したがって、本発明の目的は、フィルムロールを縦に立てて収容するための梱包体であって、保管や運搬時等におけるフィルムロールの傷やシワの発生を防止することができるフィルムロール用の梱包体を提供することにある。
【課題を解決するための手段】
【０００７】
上記目的は、巻芯にフィルムが巻回され、該巻回されたフィルムの少なくとも一方の巻回端面から前記巻芯が突出したフィルムロールを梱包するための梱包体であって、圧縮可能な弾性材から構成された緩衝部材を有し、前記フィルムロールは、前記巻芯が突出した端面側から前記緩衝部材上に前記フィルムロールの軸方向が鉛直方向となるように立てて載置され、前記フィルムロールの載置状態では、前記緩衝部材のうち、前記巻芯の載置部分及び前記巻回されたフィルムの載置部分の双方が圧縮状態にあり、且つ、前記巻芯の面圧Ｐｃ、前記巻回されたフィルムの面圧Ｐｒ及び前記緩衝部材の２５％圧縮応力Ｐｋが以下の式（Ｉ）：
Ｐｃ＞Ｐｋ≧Ｐｒ      （Ｉ）
（但し、Ｐｃはフィルムロール全体の重量（Ｎ）／巻芯の端面の面積（ｍ２）から求められ、Ｐｒはフィルムロール全体の重量（Ｎ）／巻回されたフィルムの巻回端面の面積（ｍ２）から求められる。）の関係を満たすことを特徴とするフィルムロール用梱包体により達成される。
【０００８】
本発明の構成によれば、衝撃を吸収可能な緩衝部材の上にフィルムロールが載置されるので、運搬時等に発生する衝撃を緩和してフィルムロールへの影響を小さくすることができる。そして、フィルムロールを圧縮可能な緩衝部材に載置すると、巻回端面から突出した巻芯が緩衝部材に食い込むとともにフィルムロール全体の重量によって緩衝部材は圧縮状態となる。これにより、フィルム部分だけでなく巻芯の端部でもフィルムロールの重量を支えることになるので、衝撃発生時におけるフィルム部分への影響を抑制することができる。そして、この圧縮状態において更に上記式の関係を満たすことにより次の効果が得られる。すなわち、フィルムロールの載置状態において、緩衝部材のうち巻芯の載置部分は、緩衝部材が２５％圧縮した状態よりも高く圧縮され、且つ緩衝部材のうち巻回されたフィルムの載置部分は、緩衝部材の２５％圧縮状態と同じか小さい圧縮度を有することで、載置されたロールに十分な安定性を付与することができる。
【０００９】
本発明のフィルムロール用梱包体の好適態様は以下の通りである。
【００１０】
（１）前記緩衝部材の前記巻芯が載置される部分に、切れ込みが形成されている。緩衝部材に巻芯が食い込むのを容易ならしめることができ、且つ、フィルムロールを載置するときに中心位置を示す役割も奏される。
（２）前記緩衝部材の前記巻芯が載置される部分が、その周りの部分よりも柔らかく圧縮し易い弾性材で形成されている。巻芯が緩衝部材に食い込むのを容易ならしめることができる。また、フィルムロールの巻芯は硬い部材から構成され、フィルムはそれよりも柔らかい材質から構成されるので、下側からの衝撃伝達速度を均等化することができ、これにより、巻芯と巻回フィルムの位相ズレを少なくすることができ、巻ずれを防止することも可能となる。
（３）上記式（Ｉ）において、Ｐｒ＜Ｐｋ≦１０×Ｐｒの関係を更に満たす。これにより十分な安定性を得ることができる。
（４）前記緩衝部材は、発泡体から構成されている。圧縮性及び弾性が効果的に発揮され、安定性に優れる梱包体を得ることができる。
（５）前記緩衝部材上に、前記フィルムロールの巻回端面を覆うことが可能なキャップが配置され、前記フィルムロールが載置された状態で、前記フィルムロールと前記緩衝部材との間に前記キャップが介在する。巻回されたフィルムが直接、緩衝部材に接触することを防止し、フィルムへの傷やシワが更に抑制される。
（６）前記巻回されたフィルムの両側の巻回端面から前記巻芯がそれぞれ突出し、前記緩衝部材に対向する側の前記巻芯の突出長さが、反対側の突出長さよりも短い。安定性を更に高めることができ、且つ作業性も向上する。
（７）前記フィルムロールの上部に更なる緩衝部材が配置されている。フィルムロールの上側にも緩衝部材を設けることで衝撃吸収性が更に向上する。
【発明の効果】
【００１１】
本発明によれば、フィルムロールを縦に立てて収容する場合であっても、保管・運搬時におけるフィルムロールの傷やシワの発生を防止することができるフィルムロール用の梱包体が提供される。
【図面の簡単な説明】
【００１２】
【図１】本発明の梱包体の一実施の形態を示す分解斜視図である。
【図２】緩衝部材にフィルムロールが載置された状態を示す部分断面図である。
【図３】緩衝部材に施される加工例を示す平面図（ａ１）（ｂ１）及び断面図（ａ２）（ｂ２）である。
【発明を実施するための形態】
【００１３】
以下、図面を参照して本発明のフィルムロールの梱包体を詳細に説明する。図１は、本発明の梱包体の実施の形態の一例を示す分解斜視図である。図示のように、梱包体１０は、底面部材１２、側面部材１４、蓋部材１６を有し、底面部材１２上には、フィルムロール１８を載置するための板状の緩衝部材２０が配置されている。
【００１４】
フィルムロール１８は、巻芯１８ａと巻芯１８ａに巻回されたフィルム１８ｂ（以下、「巻回フィルム」とも称する。）から構成されている。巻芯１８ａは巻回フィルム１８ｂの幅方向よりも長く形成されており、両端部において、巻芯１８ａは巻回フィルム１８ｂの巻回端面１８ｂ−１から突出している（図２も参照）。そして、フィルムロール１８は、その軸方向が鉛直方向となるように縦に立てて緩衝部材２０上に載置される。
【００１５】
図２は、緩衝部材２０にフィルムロール１８が載置された状態を示す断面図である。載置前の状態では、緩衝部材２０の上面は平坦であるが、載置された状態では、図示のように、緩衝部材２０のうち、巻芯１８ａの載置部分２０ａ及び巻回フィルム１８ｂの載置部分２０ｂの双方が圧縮されている。特に巻芯１８ａは緩衝部材２０に食い込いこんだ状態となっており、巻芯１８ａの載置部分２０ａの方が巻回フィルム１８ｂの載置部分２０ｂよりも圧縮度が高く、その厚さが薄い状態となっている。
【００１６】
そして、緩衝部材２０にフィルムロール１８が載置された状態で、巻芯１８ａの端面１８ａ−１の面圧Ｐｃ、巻回されたフィルム１８ｂの巻回端面１８ｂ−１の面圧Ｐｒ及び緩衝部材２０の２５％圧縮応力Ｐｋが以下の式：
Ｐｃ＞Ｐｋ≧Ｐｒ      （Ｉ）
（但し、Ｐｃはフィルムロール全体の重量（Ｎ）／巻芯の端面の面積（ｍ２）から求められ、Ｐｒはフィルムロール全体の重量（Ｎ）／巻回されたフィルムの巻回端面の面積（ｍ２）から求められる。）
の関係を満たしている。
【００１７】
上記構成を有することで、衝撃を吸収可能な緩衝部材２０の上にフィルムロール１８が載置されるので、運搬時等に発生する衝撃を緩和してフィルムロール１８への影響を小さくすることができる。そして、フィルムロール１８を圧縮可能な緩衝部材２０に載置すると、巻回端面１８ｂ−１から突出した巻芯１８が緩衝部材２０に食い込むとともにフィルムロール１８全体の重量によって緩衝部材２０は圧縮状態となる。これにより、フィルム１８ｂ部分だけでなく巻芯１８ａの端部１８ａ−１でもフィルムロール１８の重量を支えることになるので、衝撃発生時におけるフィルム１８ｂ部分への影響を抑制することができる。そして、この圧縮状態において更に上記式の関係を満たすことにより次の効果が得られる。すなわち、フィルムロール１８の載置状態において、緩衝部材２０のうち巻芯１８ａの載置部分２０ａは、緩衝部材２０が２５％圧縮した状態よりも高く圧縮され、且つ緩衝部材２０のうち巻回されたフィルム１８ｂの載置部分２０ｂは、緩衝部材の２５％圧縮状態と同じか小さい圧縮度を有することで、載置されたフィルムロール１８に十分な安定性を付与することができる。
【００１８】
緩衝部材２０の２５％圧縮応力Ｐｋは物質固有の値であり、ＪＩＳ  Ｋ  ６７６７（１９９９年）に準じて測定することができる。緩衝部材２０は、圧縮可能な弾性材から構成されている。例えば、発泡ポリエチレン、発泡ポリスチレン、発泡ポリプロピレン、発泡ポリウレタン等の発泡体を使用することができる。このような発泡体を用いる場合、発泡体は連続気泡タイプでも独立気泡タイプでもよい。また、上記式（Ｉ）において、Ｐｒ＜Ｐｋ≦１０×Ｐｒの関係を更に満たすことが好ましい。１０×Ｐｒは、想定される衝撃荷重（１０Ｇ）をＰｒに乗じたものであり、この関係を満たすことにより衝撃時の安定性に更に優れた梱包体が提供される。なお、載置して安定した状態ではＰｒ＋Ｐｃ＝Ｐｋとなる。
【００１９】
緩衝部材２０の厚さは、巻芯１８ａの突出長さにより応じて適宜調節すればよい。上記載置状態において、緩衝部材２０の部分２０ｂが２５％圧縮した状態で優れた安定性が得られることから、緩衝部材２０の厚さｔ（載置前）は、巻芯１８ａの突出長さ＋突出長さ×２５％以上あればよい。巻芯の突出長さは、例えば、５〜１５０ｍｍである。なお、載置状態において、すなわち、静的状態で、緩衝部材２０のフィルム載置部分２０ｂの厚さが、載置前の状態よりも１０〜２５％薄くなっていることが安定性の点で好ましい。また、想定最大衝撃時においては、例えば、圧縮による厚みｔの減少は最大でも５０％であることが好ましい。
【００２０】
緩衝部材２０には、上記関係性を良好に満足させるため、加工が施されていてもよい。図３は加工の例を示す説明図である。図３（ａ１）は、切れ込みを形成した緩衝部材３０の平面図であり、図３（ａ２）はその断面図である。図示のように、緩衝部材３０の、フィルムロールの巻芯の載置部分に十字状の切れ込みが形成されている。切れ込みは緩衝部材３０の底面３０ａまでには達しておらず、緩衝部材３０の上面３０ａから若干の深さ（数ｍｍ程度）だけあればよい。これにより、巻芯が緩衝部材に食い込むのを容易ならしめることができ、且つ、フィルムロールを載置するときに中心位置を示す役割も奏される。切れ込みは十字状に限られず、放射状、アスタリスク（＊）字状、直径の異なる複数の同心円状、格子状等の切れ込みとしてもよい。
【００２１】
図３（ｂ１）は、緩衝部材の他の加工例を示す平面図であり、図３（ｂ２）はその断面図である。図示のように、巻芯が載置される部分４１とその周りの部分４２から形成され、巻芯に対向する部分４１は、その周りの部分４２よりも柔らかく且つ圧縮し易い材料から形成されている。これにより、巻芯が緩衝部材４０に食い込むのを容易ならしめることができる。また、フィルムロールの巻芯は硬い部材から構成され、フィルムはそれよりも柔らかい材質から構成されるので、下側からの衝撃伝達速度を均等化することができ、これにより、巻芯と巻回フィルムの位相ズレを少なくすることができ、巻ずれを防止することも可能である。
【００２２】
巻芯の載置部分４１のみ柔らかく且つ圧縮し易い材料とするためには、例えば、緩衝部材が発泡体の場合、中心部４１の発泡体を周りの発泡体よりも密度が低いものとする。なお、図３に示した２つの加工例を組み合わせても良い。これにより、さらに安定性の向上した梱包材が得られる。
【００２３】
本発明において、巻芯１８ａは、少なくとも緩衝部材２０と対向する側（図２参照）から突出していればよく、その反対側（上側）は突出していなくてもよい。図１に示したように、その反対側においても巻芯１８ａが突出していることが作業上好ましく、緩衝部材２０に対向する側の巻芯１８ａの突出長さが、反対側の突出長さよりも短いことが好ましい。これにより、更に安定性が高まるとともに作業性も向上する。巻芯１８ａは従来から用いられているものでよく、例えば筒状の巻芯が用いられる。巻芯１８ａ外径は、例えば、７８〜１８５ｍｍである。筒状の巻芯の場合、巻芯の端面は、巻芯の外径から形成される円の面積のことをいう。
【００２４】
図１に示した本発明の梱包体１０の底面部材１２、側面部材１４及び蓋部材１６は従来から用いられているものでよい。梱包体１０は、適宜、パレット上に載置して保管・運搬される。図示の９個に対して一つの緩衝部材２０を設ける構成としているが、緩衝部材はフィルムロール１８毎に一つずつ設ける構成としてもよい。
【００２５】
梱包体１０において、フィルムロール１８の上部、即ち、フィルムロール１８と蓋部材１６との間の位置に、更に緩衝部材を設けてもよい。これにより、運搬時などに発生する衝撃を更に吸収することができる梱包体とすることができる。更に設けられる緩衝部材は上述した緩衝部材と同じものでもよいし別のものでもよいが、上述した緩衝部材と同じものが、衝撃吸収性が良好な点で好ましい。
【００２６】
また、緩衝部材２０とフィルムロール１８との間には、巻回フィルム１８ｂの巻回端面を覆うことが可能なキャップを設けても良い。キャップは表面活性が低いものであることが好ましく、例えば、フッ素ポリマーから形成されたキャップを使用することができる。キャップは緩衝部材２０上に配置される。キャップの形状はフィルムロール巻回端面を覆うことができればどのようなものでもよく、例えば、中心がくり抜かれた円盤形状とすることができる。
【００２７】
フィルムロール１８は特に限定されず、樹脂製のフィルム、例えば、太陽電池用封止膜等の接着シートのフィルムロールを好適に適用することができる。
【実施例】
【００２８】
以下、実施例により本発明を説明する。
ＥＶＡを主原料とするフィルムを巻芯に巻回させることにより下記ロール１及びロール２を得た。
【００２９】
【表１】
2017001714.tif 000003
【００３０】
緩衝部材として２５％圧縮応力Ｐｋが８０ｋＰａである発泡ポリエチレン（厚さ４０ｍｍ）を用い、図１に示すように梱包体でロール１を梱包した。この梱包体について、輸送振動を想定した加振試験を行った後、目視でロール１を確認したところ、傷やシワの発生は認められなかった。ロール２でも同様の実験を行ったところ、同様の結果が得られた。
【００３１】
比較例として、Ｐｋが４００ｋＰａである発泡ポリプロピレン（厚さ２０ｍｍ）を用い図１に示すように梱包体でロール１を梱包した。この梱包体について、衝撃を繰り返す試験を行った後、輸送振動を想定した加振試験を行った後、目視でロール１を確認したところ、ロール１にシワが発生したことが認められた。
【００３２】
本発明は上記各実施の形態の構成に限定されるものではなく、発明の要旨の範囲内で種々の変形が可能である。
【符号の説明】
【００３３】
１０  梱包体
１２  底面部材
１４  側面部材
１６  蓋部材
１８  フィルムロール
１８ａ  巻芯
１８ｂ  巻回フィルム
２０、３０、４０  緩衝部材
【図１】
2017001714.tif 000004
【図２】
2017001714.tif 000005
【図３】
2017001714.tif 000006